(57)【要約】【課題】パレットと包装箱を合体させるバンドが不要となり、その結果包装箱に対するバンドの食い込みにより生じるバンドの締め付け緩みによる包装箱のがたつきという問題のないパレット一体型包装箱を提供する。【解決手段】段ボール製の包装箱１は２組の対向側板３，３および４，４と、対向側板３，３および４，４の下端に連設された底板形成用フラップ５，５および６，６と、対向側板３，３および４，４の上端に連設された上蓋形成用フラップ７，７および８，８とを備え、対向側板３，３の下端にはフォークリフトのフォーク挿入用の開口部９，９が形成され、開口部９，９の位置に存在していた板材１０，１０は上端で対向側板３，３に繋がっていて包装箱１の内部に水平に折り曲げられ、底板形成用フラップ５，５および６，６で形成される底板との間で段ボール製のパレット２が水平にセットされ、段ボール製の補強部材が包装箱１の内部に挿入されている。【選択図】図６
2008018984.tif 000002
【特許請求の範囲】
【請求項１】
段ボール製の包装箱１と、この包装箱１の底部にセットされる段ボール製のパレット２と、パレット２の上から包装箱１の内部に挿入される段ボール製の補強部材１５とからなり、包装箱１は２組の対向側板３，３および４，４と、これら対向側板３，３および４，４の下端に連設された底板形成用フラップ５，５および６，６と、これら対向側板３，３および４，４の上端に連設された上蓋形成用フラップ７，７および８，８とを備え、前記対向側板３，３の下端にはフォークリフトのフォーク挿入用の開口部９，９がそれぞれ２箇所形成され、この開口部９，９の位置に存在していた板材１０，１０は上端で対向側板３，３に繋がっていて包装箱１の内部に水平に折り曲げられ、前記底板形成用フラップ５，５および６，６で形成される底板との間でパレット２が水平にセットされ、パレット２には前記開口部９，９と合致する空間を備えてなることを特徴とするパレット一体型包装箱。
【請求項２】
補強部材１５は開口部９，９の位置に存在していた板材１０を介してパレット２の上に重なる水平板部１６と、この水平板部１６に連設され包装箱１の対向側板３，３の内面に重なる立ち上がり板部１７，１７とからなり、包装箱１の内部に挿入されてなることを特徴とする請求項１記載のパレット一体型包装箱。
【請求項３】
パレット２は底板１１と、天板１２と、これら底板１１と天板１２との間に設けられ開口部９，９と合致する空間を形成するための脚体１３とからなることを特徴とする請求項１または２記載のパレット一体型包装箱。
【請求項４】
包装箱１の内部に補強部材１５が挿入されることによりパレット２の天板１２と補強部材１５の水平板部１６とが重なって２重構造となり、パレット２を補強するようにしたことを特徴とする請求項３記載のパレット一体型包装箱。
【請求項５】
脚体１３は段ボール板を渦巻状に丸めて接着剤で保形されていることを特徴とする請求項３記載のパレット一体型包装箱。
【請求項６】
包装箱１内でパレット２を包み込むように下側底板５，５を先端が突き合わせ状態となるように閉じて封緘テープ１８で封緘したことを特徴とする請求項１から５までの何れか１項記載のパレット一体型包装箱。
【発明の詳細な説明】
【技術分野】
【０００１】
本発明は、大型のテレビジョン受像機などの製品を梱包すべく段ボール製の包装箱と段ボール製のパレットを合体させたパレット一体型包装箱に関するものである。
【背景技術】
【０００２】
従来の段ボール製の包装箱と段ボール製のパレットを合体させた包装構造としては非特許文献１に開示されているような段ボール製のパレットの上に段ボール製の包装箱を載せ、パレットと包装箱を締結用のバンドで合体させたものが知られている。
【非特許文献１】社団法人日本包装技術協会発行『包装技術１９９６年１１月号の４８頁の後に掲載されているＪＡＰＡＮ  ＰＡＣＫＡＧＩＮＧ  ＣＯＮＴＥＳＴ  ９６の中の  ＪＡＰＡＮ  ＳＴＡＲ  日本貿易振興会理事長賞「輸出用重量物製品の段ボール集合包装の開発」（ダイキン工業(株)  チヨダコンテナー(株)）』
【発明の開示】
【発明が解決しようとする課題】
【０００３】
上記非特許文献１に開示されている包装構造では、パレットの上に包装箱を載せた状態で、パレットと包装箱を締結用のバンドで合体させているものであるが、パレット、包装箱共に段ボール製であるため、バンドで締結した搬送中に揺れなどによりバンドがパレットや包装箱に食い込み、パレットや包装箱が損傷する結果、徐々にバンドの締め付けが緩み、パレットの上で包装箱ががたつくという問題があった。
【０００４】
本発明の目的は、このような課題を解決するものであり、パレットと包装箱を合体させるバンドが不要となり、その結果包装箱に対するバンドの食い込みにより生じるバンドの締め付け緩みによる包装箱のがたつきという問題のないパレット一体型包装箱を提供することにある。
【課題を解決するための手段】
【０００５】
本発明の請求項１に記載のパレット一体型包装箱は、段ボール製の包装箱１と、この包装箱１の底部にセットされる段ボール製のパレット２と、パレット２の上から包装箱１の内部に挿入される段ボール製の補強部材１５とからなり、包装箱１は２組の対向側板３，３および４，４と、これら対向側板３，３および４，４の下端に連設された底板形成用フラップ５，５および６，６と、これら対向側板３，３および４，４の上端に連設された上蓋形成用フラップ７，７および８，８とを備え、前記対向側板３，３の下端にはフォークリフトのフォーク挿入用の開口部９，９がそれぞれ２箇所形成され、この開口部９，９の位置に存在していた板材１０，１０は上端で対向側板３，３に繋がっていて包装箱１の内部に水平に折り曲げられ、前記底板形成用フラップ５，５および６，６で形成される底板との間でパレット２が水平にセットされ、パレット２には前記開口部９，９と合致する空間を備えてなることを特徴とする。
【０００６】
請求項２に記載のパレット一体型包装箱は、補強部材１５は開口部９，９の位置に存在していた板材１０を介してパレット２の上に重なる水平板部１６と、この水平板部１６に連設され包装箱１の対向側板３，３の内面に重なる立ち上がり板部１７，１７とからなり、包装箱１の内部に挿入されてなることを特徴とする。
【０００７】
請求項３に記載のパレット一体型包装箱は、パレット２は底板１１と、天板１２と、これら底板１１と天板１２との間に設けられ開口部９，９と合致する空間を形成するための脚体１３とからなることを特徴とする。
【０００８】
請求項４に記載のパレット一体型包装箱は、包装箱１の内部に補強部材１５が挿入されることによりパレット２の天板１２と補強部材１５の水平板部１６とが重なって２重構造となり、パレット２を補強するようにしたことを特徴とする。
【０００９】
請求項５に記載のパレット一体型包装箱は、脚体１３は段ボール板を渦巻状に丸めて接着剤で保形されていることを特徴とする。
請求項６に記載のパレット一体型包装箱は、包装箱１内でパレット２を包み込むように下側底板５，５を先端が突き合わせ状態となるように閉じて封緘テープ１８で封緘したことを特徴とする。
【発明の効果】
【００１０】
以上のように、本発明のパレット一体型包装箱は、パレットと包装箱を合体させる締結用のバンドが不要となり、その結果包装箱に対するバンドの食い込みにより生じるバンドの締め付け緩みによる包装箱のがたつきという問題を解消することができる。また、パレットの上から補強部材が挿入されていることによりパレット自体の構成が簡素化されていても上方からの荷重に耐えることが可能となる。しかも、本発明のパレット一体型包装箱は組み立てが簡単であるため、安価に提供できる。
【発明を実施するための最良の形態】
【００１１】
以下、本発明の一実施の形態を、図１〜図８を用いて具体的に説明する。
図において、１は段ボール製の包装箱、２はこの包装箱１の底部に載せられてセットされる段ボール製のパレットである。
【００１２】
詳しくは、前記包装箱１は長辺側および短辺側の２組の対向側板３，３および４，４と、これら対向側板３，３および４，４の下端に連設された底板形成用フラップ５，５および６，６と、これら対向側板３，３および４，４の上端に連設された上蓋形成用フラップ７，７および８，８とを備えている。そして、前記長辺側の対向側板３，３の下端にはフォークリフトのフォーク挿入用の開口部９，９がそれぞれ２箇所形成されている。この開口部９，９の位置に存在していた段ボールの板材１０，１０は上端で対向側板３，３に繋がっており、包装箱１の内部に水平に折り曲げられ、前記底板形成用フラップ５，５および６，６で形成される底板との間でパレット２が水平にセットされる空間が形成される。
【００１３】
次に、前記パレット２は底板１１と、天板１２と、これら底板１１と天板１２との間に設けられる角筒状の脚体１３とからなり、この脚体１３には底板１１の４隅および底板１１の長辺側の２辺の中間部に形成された切り起こし片１４が下から差し込まれて切り起こし片１４と脚体１３の内面および脚体１３と底板１１の当接面で接着固定され、また脚体１３と天板１２とは当接面で接着固定されてパレット２が作られている。なお、前記脚体１３は段ボール板を渦巻状に丸めて接着剤で保形されている。
【００１４】
ところで、図中１５は前記板材１０を介してパレット２の上に重なる水平板部１６と、この水平板部１６の対向する長辺に連設され前記包装箱１の長辺側の対向側板３，３の内面に重なる立ち上がり板部１７，１７とからなる段ボール製の補強部材である。
【００１５】
上記構成において、包装箱１の底部にパレット２をセットする場合は、包装箱１を上下逆さにして底板形成用フラップ５，５および６，６を開き、前記板材１０を包装箱１の内部に水平に折り曲げた状態とし、板材１０の上からパレット２を上下逆、つまり底板１１が上に向くように載せ、パレット２の長辺側の２辺における脚体１３間の空間と前記長辺側の対向側板３，３の下端の開口部９，９とを合致させ、パレット２を包み込むように下側底板５，５を先端が突き合わせ状態となるように閉じて封緘テープ１８で封緘する。その後、包装箱１を底部が下に向くように元の向きに戻し、上蓋形成用フラップ７，７および８，８が開かれている状態で前記板材１０を介してパレット２の上に重なるように補強部材１５を包装箱１の内部に挿入する。このように補強部材１５が挿入されることによりパレット２の天板１２と補強部材１５の水平板部１６とが重なって２重構造となり、パレット２を補強することができる。
【００１６】
以上のようにして締結用のバンドを用いることなく底部にパレット２がセットされた包装箱１が完成し、包装箱１内には大型のテレビジョン受像機などの製品が収納されて梱包される。
【図面の簡単な説明】
【００１７】
【図１】本発明の一実施の形態における包装箱の展開図である。
【図２】同包装箱の組み立て途中の状態を示す斜視図である。
【図３】同パレットの分解斜視図である。
【図４】同パレットの完成斜視図である。
【図５】同補強部材の斜視図である。
【図６】同包装箱を上下逆にしてパレットをセットする途中の状態を示す斜視図である。
【図７】同包装箱を上下逆にしてパレットをセットした状態を示す斜視図である。
【図８】同包装箱にパレットおよび補強部材をセットした状態を示す完成斜視図である。
【符号の説明】
【００１８】
１        包装箱
２        パレット
３，４    側板
５，６    底板形成用フラップ
７，８    上蓋形成用フラップ
９        開口部
１０        板材
１１        底板
１２        天板
１３        脚体
１４        切り起こし片
１５        補強部材
１６        水平板部
１７        立ち上がり板部
１８        封緘テープ
【図１】
2008018984.tif 000003
【図２】
2008018984.tif 000004
【図３】
2008018984.tif 000005
【図４】
2008018984.tif 000006
【図５】
2008018984.tif 000007
【図６】
2008018984.tif 000008
【図７】
2008018984.tif 000009
【図８】
2008018984.tif 000010